(57)【要約】      （修正有）【課題】大規模建物の共用廊下又はベランダ等の突出外床部先端に設置したアーチ型鉄骨支柱及び、これと一体化した鉄骨手すりから構成される外付き架構によって本体建物の耐震性能の大幅な改善を図る鋼製耐震手すり構造を提供する。【解決手段】突出外床部１０１に設置された手すり２と枠構造１との組み合わせからなり、枠構造１は、突出外床部１０１の先端部に結合されると共に、水平方向に所定間隔を置いて配置された連結部材１０と、連結部材１０の下端に連結されると共に、突出外床部１０１に結合されて、水平方向に延設された梁部材１１と、上側の梁部材１１と下側の連結部材１０とに連結されると共に、水平方向に所定間隔を置いて、垂直方向に延設された柱部材１２と、梁部材１１と柱部材１２との角部に結合されたアーチ型リブ部材１３と、を備え、手すり２の両側は、柱部材１２に結合される。【選択図】図２
0003207755.tif 000002
【実用新案登録請求の範囲】
【請求項１】
中規模建物や大規模建物の突出外床部に設置される鋼製耐震手すり構造であって、
前記突出外床部に設置された鋼製耐震手すりと枠構造との組み合わせからなり、
前記枠構造は、
前記突出外床部の先端部に結合されると共に、水平方向に所定間隔を置いて配置された連結部材と、
前記連結部材の下端に連結されると共に、前記突出外床部に結合されて、水平方向に延設された梁部材と、
上側の前記梁部材と下側の前記連結部材とに連結されると共に、水平方向に所定間隔を置いて、垂直方向に延設された柱部材と、
前記梁部材と前記柱部材との角部に結合されたアーチ型リブ部材と、を備え、
前記鋼製耐震手すりの両側は、前記柱部材に結合される
ことを特徴とする鋼製耐震手すり構造。
【請求項２】
前記連結部材は、
前記突出外床部の先端部に嵌め込まれるコ字状の本体部と、
前記本体部の下面に結合されると共に、前記梁部材に連結される水平部と、を備える
ことを特徴とする請求項１に記載の鋼製耐震手すり構造。
【考案の詳細な説明】
【技術分野】
【０００１】
本考案は、マンションやホテル等の中規模建物や大規模建物に設けられる共用廊下又はベランダ等の突出外床部先端に設置される手すりを新しく新設し、構造的に計算された鋼製耐震手すりを利用して本体建物の耐震補強の用に供する構造に関する。
【背景技術】
【０００２】
マンションの耐震補強においては、現在よく採用されているＸ型やＶ型や、あるいはＫ型等の筋交いは美観や利便性や敷地条件や設置条件的に採用が困難である場合が多い。
【先行技術文献】
【特許文献】
【０００３】
【特許文献１】特開２０１４−１５２５６６号公報
【考案の概要】
【０００４】
マンションの耐震補強においては現在よく採用されているＸ型やＶ型や、あるいはＫ型等の筋交いは美観や利便性や敷地条件や設置条件的に採用が困難である。この課題を解決するために共用部分である廊下またはベランダに着目し、そこに新たに取り付ける鋼製耐震手すりを利用した耐震構面を設置する工法を開発した。
【考案が解決しようとする課題】
【０００５】
そこで、本考案が解決しようとする課題は、中規模建物や大規模建物の共用廊下又はベランダ等の突出外床部が地震時に突出外床部先端に新たに設置された構造手すりと枠構造とを組み合わせてなる鋼製耐震手すり構造を提供することにある。
【課題を解決するための手段】
【０００６】
上記の課題を解決するために、本考案に係る鋼製耐震手すり構造は、
中規模建物や大規模建物の突出外床部に設置される鋼製耐震手すり構造であって、
突出外床部に設置された手すりと枠構造との組み合わせからなり、
枠構造は、
突出外床部の先端部に結合されると共に、水平方向に所定間隔を置いて配置された連結部材と、
連結部材の下端に連結されると共に、突出外床部に結合されて、水平方向に延設された梁部材と、
上側の梁部材と下側の連結部材とに連結されると共に、水平方向に所定間隔を置いて、垂直方向に延設された柱部材と、
梁部材と柱部材との角部に結合されたアーチ型リブ部材と、を備え、
手すりの両側は、柱部材に結合される。
【０００７】
好ましくは、
連結部材は、
突出外床部の先端部に嵌め込まれるコ字状の本体部と、
本体部の下面に結合されると共に、梁部材に連結される水平部と、を備える。
【考案の効果】
【０００８】
本考案に係る鋼製耐震手すり構造は、中規模建物や大規模建物の共用廊下、又はベランダ等の突出外床部に設置される構造耐震手すりと枠構造とを組み合わせてなり、この構造によって、突出外床部の強度が著しく向上し、建物本体の耐震性能を大幅に改善させる。
【図面の簡単な説明】
【０００９】
【図１】鋼製耐震手すり構造を備えた中規模建物や大規模建物を示す正面図。
【図２】鋼製耐震手すり構造を示す正面図。
【図３】（Ａ）は図２のＡ−Ａ断面図であり、（Ｂ）は図２のＢ−Ｂ断面図。
【図４】連結部材を示し、（Ａ）は斜視図、（Ｂ）は正面図、（Ｃ）は側面図。
【考案を実施するための形態】
【００１０】
以下、図面に基づいて、本考案に係る鋼製耐震手すり構造を説明する。
【００１１】
図１の通り、マンションやホテル等の中規模建物や大規模建物１００は、複数階層で構成されており、各階に共有廊下又はベランダ等の突出外床部１０１が設けられる。建物１００は、突出外床部１０１に設置された鋼製の耐震手すり構造を備える。
【００１２】
図２及び図３の通り、耐震手すり構造は、突出外床部１０１に設置された鋼製の手すり２と鋼製の枠構造１との組み合わせからなる。枠構造１は、水平方向に所定間隔を置いて配置された連結部材１０を備える（図２）。連結部材１０は、突出外床部１０１の先端部１０１ａにアンカーボルトで結合される（図３）。
【００１３】
枠構造１は、水平方向に延設された梁部材１１を備える。梁部材１１は、連結部材１０の下端にボルトで連結されると共に、突出外床部１０１の先端部１０１ａにアンカーボルトで結合される。
枠構造１は、さらに、垂直方向に延設された柱部材１２を備える。柱部材１２は、その上下端部が、上側の突出外床部１０１に結合された梁部材１１と、下側の突出外床部１０１に結合された連結部材１０と、にボルトを介して連結されると共に、水平方向に所定間隔を置いて配置される。
【００１４】
枠構造１は、さらに、梁部材１１と柱部材１２との角部にボルトで結合されたアーチ型のリブ部材１３を備える。
手すり２は、突出外床部１０１の先端部１０１ａにアンカーボルトで結合される。手すり２の両側が、柱部材１２にボルトで結合される。
【００１５】
梁部材１１は、水平方向に隣り合わせのリブ部材１３の間（距離Ｌ）に曲げ応力が作用する。また、柱部材１２は、リブ部材１３と手すり１２との間（距離Ｈ）に曲げ応力が作用する。リブ部材１３及び手すり１２によって、梁部材１１及び柱部材１２の距離Ｌ及びＨが短くなるので、梁部材１１及び柱部材１２に作用する曲げ応力を小さくできる。
【００１６】
図４の通り、連結部材１０は、突出外床部１０１の先端部１０１ａに嵌め込まれるコ字状の本体部１０ａを備える。連結部材１０は、さらに、本体部１０ａの下面に溶接結合される水平部１０ｂを備える。水平部１０ｂの両側は、ボルトで梁部材１１に連結される。
【００１７】
鋼製耐震手すり構造は、建物１００の突出外床部１０１に設置される手すり２と枠構造１とを組み合わせてなり、この構造によって、外付き手すり架構水平力の強度が著しく向上する。
以上、本考案の好ましい実施形態を説明したが、本発明の構成はこれらの実施形態に限定されるものではない。
【符号の説明】
【００１８】
１：枠構造、２：手すり、１０１ａ：突出外床部の先端部、１０：連結部材、１０ａ：本体部、１０ｂ：水平部、１１：梁部材、１２：柱部材、１３：アーチ型リブ部、１００：建物、１０１：突出外床部
【図１】
0003207755.tif 000003
【図２】
0003207755.tif 000004
【図３】
0003207755.tif 000005
【図４】
0003207755.tif 000006